(57)【要約】【課題】送水ホースの端部の結合金具相互間もしくは送水ホースの端部の結合金具と送水設備機器の結合金具とを簡単に結合できる送水ホース用媒介金具を提供する。【解決手段】内部に流通路１６，１９を形成した連結筒１７，２０の一端に結合部１８，２１を設けた一対の媒介金具本体１４，１５を、前記連結筒１７，２０で水密にかつ軸方向に伸縮可能に連結し、前記一対の媒介金具本体１４，１５のそれぞれの結合部１８，２１を、接続しようとする送水ホース１２，１３の端部の結合金具３４．３５相互間に媒介結合できるようにしたことを特徴とする。【選択図】図１
2007271049.tif 000002
【特許請求の範囲】
【請求項１】
内部に流通路を形成した連結筒の一端に結合部を設けた一対の媒介金具本体を、前記連結筒で水密にかつ軸方向に伸縮可能に連結し、
前記一対の媒介金具本体のそれぞれの結合部を、接続しようとする送水ホースの端部の結合金具相互間もしくは送水ホースの端部の結合金具と送水設備機器の結合金具間に媒介結合できるようにしたことを特徴とする送水ホース用媒介金具。
【請求項２】
前記一対の媒介金具本体の結合部は、同一構造の結合金具本体であり、前記結合金具本体には、周方向に配列され軸方向に突設した複数の嵌合凸部と、これら嵌合凸部の間に形成された嵌合凹部とを備え、前記結合金具本体の嵌合凸部と嵌合凹部は互いに相手側の結合金具本体の嵌合凹部と嵌合凸部に軸方向に嵌合し、これら嵌合凸部には相手側の結合金具本体の嵌合凸部に周方向に係止して軸方向の移動を規制し、これら一対の結合金具本体を軸方向に係止する係止鉤部が形成されていることを特徴とする請求項１記載の送水ホース用媒介金具。
【請求項３】
前記一対の媒介金具本体の結合部は、一方の媒介金具本体の結合部が雄型結合部で、他方の媒介金具本体の結合部が雌型結合部であることを特徴とする請求項１記載の送水ホース用媒介金具。
【請求項４】
前記一対の媒介金具本体の連結筒は、軸方向に伸縮可能に嵌合する二重管構造であり、伸縮長を調節する調節機構が設けられていることを特徴とする請求項１〜３のいずれか一つに記載の送水ホース用媒介金具。
【請求項５】
前記調節機構は、連結筒の一方に設けた雄ねじ部と連結筒の他方に設けた雌ねじ部であり、互いに螺合することを特徴とする請求項４記載の送水ホース用媒介金具。
【請求項６】
前記連結筒には、前記流通路と連通する計測機器接続ポートが設けられていることを特徴とする請求項１〜５のいずれか一つに記載の送水ホース用媒介金具。
【請求項７】
前記計測機器接続ポート接続される計測機器は、前記流通路の圧力を検知する圧力計あるいは内圧が設定値を超えたとき、前記流通路の流体を外部に放出する安全機構や送水後の残水を抜く圧抜きバルブあるいは流量を計測する機構であることを特徴とする請求項６記載の送水ホース用媒介金具。
【請求項８】
前記一対の媒介金具本体は、結合部と連結筒とが別部材からなり、前記連結筒に対して前記結合部が周方向に回転自在であることを特徴とする請求項１〜４のいずれか一つに記載の送水ホース用媒介金具。
【発明の詳細な説明】
【技術分野】
【０００１】
本発明は、例えば、消防ホース等の大容量送水ホース相互または送水ポンプと大量送水ホースとを結合する際に用いられる送水ホース用媒介金具に関する。
【背景技術】
【０００２】
例えば、石油コンビナートの石油貯蔵タンクの火災発生時のような大火災に対応できる大容量泡放射システム等に使用される大容量送水ホースあるいは洪水等の天災の発生時に排水用ポンプに接続されて使用される大容量送水ホースにおいて、特に大容量送水ホースは、例えば、口径が４００ｍｍ、ホースの標準長さが１５０ｍ、質量が１０ｋｇ／ｍもある。
【０００３】
大容量送水ホースは、ホース本体の両端部に結合金具が設けられ、結合金具を介して複数本の送水ホース相互または送水ポンプと送水ホースとが結合される。このような大容量送水ホースは、通常は展張車のドラムに巻回されており、展張時にはドラムを回転駆動して大容量送水ホースを地上等に這わせる繰り出し操作とホースの両端部の結合金具同士を結合する操作を行って目的の場所に展張している。
【０００４】
しかし、石油コンビナートの石油貯蔵タンクに火災が発生したことを想定した場合、大容量送水が要求されることは然る事ながら、水源から石油貯蔵タンクまで数ｋｍという遠距離になり、数十本の大容量送水ホースを結合して延伸する必要がある。
【０００５】
そこで、展張車のドラムに巻回された大容量送水ホースをドラムから繰り出して地上等に這わせながらホースの端部の結合金具同士を結合しているが、結合しようとするホース相互の結合金具同士の間隔が離れている場合、つまり結合金具同士を結合しようとしても結合代以上に離れていて結合できない場合、地上等に這わせたホースを引き寄せて結合する必要がある。
しかし、前述したように、口径が４００ｍｍの大容量送水ホースになると、質量が１０ｋｇ／ｍもあるため、いったん地上等に這わせた大容量送水ホースを人力で移動（引き寄せる）させることは極めて困難である。ホースの端部に設けられた結合金具を無理に引っ張ると、ホースと結合金具との接続部に亀裂が生じたり、折損する虞もある。
一方、消防ホース等のホースを相互に接続または液体輸送配管の配管相互の接続を行う、雌雄の区別のない一対の同一構造の結合金具本体から構成された結合金具は、本出願人が開発し、登録されている（例えば、特許文献１参照。）。
【特許文献１】特許第３１０７５０７号公報
【発明の開示】
【発明が解決しようとする課題】
【０００６】
しかしながら、前述したように、口径が４００ｍｍの大容量送水ホースになると、質量が１０ｋｇ／ｍもあるため、いったん地上等に這わせた大容量送水ホースを人力で移動（引き寄せる）させることは極めて困難である。ホースの端部に設けられた結合金具を無理に引っ張ると、ホースと結合金具との接続部に亀裂が生じたり、折損する虞もある。
一方、特許文献１に示す消防ホース等のホース相互を雌雄の区別のない一対の同一構造の結合金具本体を用いて接続する結合金具を採用すれば、一対の結合金具本体同士を軸方向に僅かに移動させるだけで結合できるが、一対の結合金具本体が結合代以上に離れている場合には同様な問題がある。
本発明は、前記事情に着目してなされたもので、その目的とするところは、例えば、展張車のドラムに巻回された大容量送水ホースをドラムから繰り出して地上等に這わせた後、送水ホースの端部の結合金具同士を結合する際に、結合金具同士の間隔が離れている場合、つまり結合金具同士を結合しようとしても結合代以上に離れていて結合できない場合であっても送水ホースを引き寄せることなく結合できる送水ホース用媒介金具を提供するものである。
【課題を解決するための手段】
【０００７】
本発明は、前記目的を達成するために、請求項１は、内部に流通路を形成した連結筒の一端に結合部を設けた一対の媒介金具本体を、前記連結筒で水密にかつ軸方向に伸縮可能に連結し、前記一対の媒介金具本体のそれぞれの結合部を、接続しようとする送水ホースの端部の結合金具相互間もしくは送水ホースの端部の結合金具と送水設備機器の結合金具間に媒介結合できるようにしたことを特徴とする送水ホース用媒介金具にある。
【０００８】
請求項２は、請求項１の前記一対の媒介金具本体の結合部は、同一構造の結合金具本体であり、前記結合金具本体には、周方向に配列され軸方向に突設した複数の嵌合凸部と、これら嵌合凸部の間に形成された嵌合凹部とを備え、前記結合金具本体の嵌合凸部と嵌合凹部は互いに相手側の結合金具本体の嵌合凹部と嵌合凸部に軸方向に嵌合し、これら嵌合凸部には相手側の結合金具本体の嵌合凸部に周方向に係止して軸方向の移動を規制し、これら一対の結合金具本体を軸方向に係止する係止鉤部が形成されていることを特徴とする。
【０００９】
請求項３は、請求項１の前記一対の媒介金具本体の結合部は、一方の媒介金具本体の結合部が雄型結合部で、他方の媒介金具本体の結合部が雌型結合部であることを特徴とする。
【００１０】
請求項４は、請求項１〜３のいずれかの前記一対の媒介金具本体の連結筒は、軸方向に伸縮可能に嵌合する二重管構造であり、伸縮長を調節する伸縮長調節機構が設けられていることを特徴とする。
【００１１】
請求項５は、請求項４の前記調節機構は、連結筒の一方に設けた雄ねじ部と連結筒の他方に設けた雌ねじ部であり、互いに螺合することを特徴とする。
【００１２】
請求項６は、請求項１〜５のいずれかの前記連結筒には、前記流通路と連通する計測機器接続ポートが設けられていることを特徴とする。
【００１３】
請求項７は、請求項６の前記計測機器接続ポート接続される計測機器は、前記流通路の圧力を検知する圧力計あるいは内圧が設定値を超えたとき、前記流通路の流体を外部に放出する安全機構や送水後の残水を抜く圧抜きバルブあるいは流量を計測する機構であることを特徴とする。
【００１４】
請求項８は、請求項１〜４のいずれか一つに記載の前記一対の媒介金具本体は、結合部と連結筒とが別部材からなり、前記連結筒に対して前記結合部が周方向に回転自在であることを特徴とする。
【発明の効果】
【００１５】
本発明によれば、例えば、口径が４００ｍｍ、質量が１０ｋｇ／ｍもある大容量送水ホースであっても、送水ホースの端部の結合金具相互間もしくは送水ホースの端部の結合金具と送水設備機器の結合金具とを簡単に結合できるという効果がある。
【発明を実施するための最良の形態】
【００１６】
以下、本発明の各実施の形態を図面に基づいて説明する。
【００１７】
図１は送水ホース用媒介金具の第１の実施形態を示し、１１は送水ホース用媒介金具、１２、１３は例えば口径が４００ｍｍ、ホースの長さが１５０ｍ、質量が１０ｋｇ／ｍの大容量送水ホースである。この大容量送水ホース１２，１３は、例えば石油コンビナートの石油貯蔵タンクの火災発生時のような大火災に対応できる大容量泡放射システム等に使用されるホースあるいは洪水等の天災の発生時に排水ポンプに接続されて使用されるホースを想定したものである。
【００１８】
まず、送水ホース用媒介金具１１について説明すると、第１の媒介金具本体１４と第２の媒介金具本体１５とから構成されている。第１と第２の媒介金具本体１４，１５は基本的には同一構造であり、第１の媒介金具本体１４は内部に流通路１６を形成した連結筒１７の一端には結合部１８が設けられている。第２の媒介金具本体１５は内部に流通路１９を形成した連結筒２０の一端には結合部２１が設けられている。第１の媒介金具本体１４の連結筒１７は金属管によって円筒状に形成され、この連結筒１７の内部には第２の媒介金具本体１５の連結筒２０が嵌合されている。
【００１９】
すなわち、連結筒２０は連結筒１７より僅かに小径の金属管によって円筒状に形成され、その外周面には雄ねじ部２２が形成され、連結筒１７の内周面には雄ねじ部２２と螺合する雌ねじ部２３が形成されている。従って、連結筒１７と２０とは二重管構造で、例えば、第２の媒介金具本体１５を固定し、第１の媒介金具本体１４を回転させることにより、雄ねじ部２２と雌ねじ部２３が螺合して連結筒１７と２０とが軸方向に伸縮するようになっている。
【００２０】
さらに、連結筒２０の先端部における外周面には環状溝２４が設けられ、この環状溝２４には連結筒１７の内周面の接触するＯリング２５が装着され、連結筒１７と２０は水密に連結されている。連結筒２０の基端部における外周面には計測機器接続ポート３１が穿設され、この接続ポート３１には計測機器として、例えば、流通路１６，１９の圧力を検知する圧力計３２が設けられている。
【００２１】
なお、流通路１６，１９の圧力を検知する圧力計３２に代って内圧が設定値を超えたとき、流通路１６，１９の流体を外部に放出する安全弁や破裂弁等の安全機構を設け、送水ホース用媒介金具１１及び大容量送水ホース１２，１３を保護するようにしてもよい。送水後に残圧が残っていると、金具の離脱がスムーズにできないので、圧抜きバルブを取付けておき、ホース内の圧力を抜いてから軽い操作で離脱できるようにしてもよい。また、流量計や各種センサ等の機器を取付けてもよい。
【００２２】
また、第１と第２の媒介金具本体１４，１５の結合部１８，２１は、特許第３１０７５０７号公報で知られている結合金具と同一構造であり、連結筒１７，２０の端部に連結された筒本体２６を備えている。筒本体２６は略円筒形をなし、筒本体２６の前端部には、それぞれ複数、例えば６個の嵌合凸部２７が一体に突設されている。これらの嵌合凸部２７は筒本体２６の周方向に等間隔に配列されている。
【００２３】
また、これらの嵌合凸部２７の間は嵌合凹部２８として形成されており、嵌合凸部２７の一方の側面２７ａには段形鉤状の係止鉤部２９がそれぞれ形成されている。これらの嵌合凸部２７の他方の側面２７ｂの先端角部は円弧状に形成されてガイド部３０が形成されている。
【００２４】
また、これらの嵌合凸部２７の他方の側面２７ｂには、それぞれ付勢機構３３が設けられている。これらの付勢機構３３は、鋼球と、この鋼球を突出方向に付勢するスプリングとから構成されており、これらの付勢機構３３はこれら嵌合凸部２７の他方の側面２７ｂに埋め込まれている。従って、これらの嵌合凸部２７が相手側の嵌合凹部２８内に嵌合されると、鋼球が互いに当接して互いに押圧付勢し、これら嵌合凸部２７の他方の側面２７ｂを互いに離反するように付勢する。この結果、これら嵌合凸部２７の一方の側面２７ａは互いに近接するように付勢され、これらの一方の側面２７ａの係止鉤部２９が互いに係合するように付勢されるようになっている。
【００２５】
そして、結合部１８と結合部３４及び結合部２１と結合部３５が軸方向に衝合された場合には、例えば、一方の結合部１８の嵌合凸部２７が他方の結合部３４の嵌合凹部２８内に嵌合し、また他方の結合部３４の嵌合凸部２７が一方の結合部１８の嵌合凹部２８内に嵌合し、互いに相補形に嵌合する。同様に、一方の結合部２１の嵌合凸部２７が他方の結合部３５の嵌合凹部２８内に嵌合し、また他方の結合部３５の嵌合凸部２７が一方の結合部２１の嵌合凹部２８内に嵌合し、互いに相補形に嵌合する。
【００２６】
また、前記大容量送水ホース１２，１３の端部には第１と第２の媒介金具本体１４，１５の結合部１８，２１と同一構造の結合部３４，３５が設けられており、同一構造部分に同一符号を付している。すなわち、結合部３４，３５には後方に突出する接続管３４ａ，３５ａが設けられ、接続管３４ａ，３５ａには大容量送水ホース１２，１３のホース本体１２ａ，１３ａが嵌合接続されている。
【００２７】
大容量送水ホース１２，１３の結合部３４，３５は、通常、展張車のドラムに巻回されている大容量送水ホース１２，１３をドラムから繰り出して地上等に這わせながら延伸する場合に互いに結合されるが、結合しようとする大容量送水ホース１２，１３の結合部３４，３５同士の間隔が離れていて結合部３４，３５を結合しようとしても結合代以上に離れていて結合できない場合が生じる。
この場合、大容量送水ホース１２，１３の結合部３４と結合部３５との間に送水ホース用媒介金具１１を介在する。そして、大容量送水ホース１２の結合部３４と送水ホース用媒介金具１１の結合部１８とを結合し、大容量送水ホース１３の結合部３５と送水ホース用媒介金具１１の結合部２１とを結合する。すると、大容量送水ホース１２と大容量送水ホース１３とは送水ホース用媒介金具１１を介して結合され、結合しようとする大容量送水ホース１２，１３の結合部３４，３５同士の間隔が離れていても簡単に結合できる。つまり、大容量送水ホース１２，１３を互いに引き寄せて結合部３４と結合部３５とを接近させることなく送水ホース用媒介金具１１によって結合できる。
【００２８】
また、送水ホース用媒介金具１１の連結筒１７，２０は雄ねじ部２２と雌ねじ部２３が螺合して結合されているため、例えば、連結筒２０を固定し、連結筒１７の引っ掛りにレンチ等を引っ掛けて回転させることにより、雄ねじ部２２と雌ねじ部２３が螺合して連結筒１７と２０とが軸方向に伸縮する。従って、大容量送水ホース１２，１３の結合部３４と３５との間隔に応じて送水ホース用媒介金具１１の軸方向の長さを調節できる。
【００２９】
図２は送水ホース用媒介金具の第２の実施形態を示し、第１の実施形態と同一構成部分は同一番号を付して説明を省略する。４１は送水ホース用媒介金具、４２、４３は例えば口径が４００ｍｍ、ホースの長さが１５０ｍ、質量が１０ｋｇ／ｍの大容量送水ホースである。
【００３０】
送水ホース用媒介金具４１について説明すると、第１の媒介金具本体４４と第２の媒介金具本体４５とから構成されている。第１の媒介金具本体４４は内部に流通路１６を形成した連結筒１７を有し、この連結筒１７の一端には雌型結合部４６が設けられている。第２の媒介金具本体４５は内部に流通路１９を形成した連結筒２０を有し、この連結筒２０の一端には雄型結合部４７が設けられている。
【００３１】
また、大容量送水ホース４２の端部には第２の媒介金具本体４５の雄型結合部４７と同一構造の雄型結合部４８が設けられている。大容量送水ホース４３の端部には第１の媒介金具本体４４の雌型結合部４６と同一構造の雌型結合部４９が設けられている。雄型結合部４８及び雌型結合部４９には後方に突出する接続管４８ａ，４９ａが設けられ、接続管４８ａ，４９ａには大容量送水ホース４２，４３のホース本体４２ａ，４３ａが嵌合接続されている。
【００３２】
大容量送水ホース４２の雄型結合部４８と大容量送水ホース４３の雌型結合部４９は、通常、展張車のドラムに巻回されている大容量送水ホース４２，４３をドラムから繰り出して地上等に這わせながら延伸する場合に互いに結合されるが、結合しようとする大容量送水ホース４２，４３の雄型結合部４８と雌型結合部４９の間隔が離れていて両結合部４８，４９を結合しようとしても結合代以上に離れていて結合できない場合が生じる。
この場合、大容量送水ホース４２，４３の雄型結合部４８と雌型結合部４９との間に送水ホース用媒介金具４１を介在する。そして、大容量送水ホース４２の雄型結合部４８と送水ホース用媒介金具４１の雌型結合部４６とを結合し、大容量送水ホース４３の雌型結合部４９と送水ホース用媒介金具４１の雄型結合部４７とを結合する。すると、大容量送水ホース４２と大容量送水ホース４３とは送水ホース用媒介金具４１を介して結合され、結合しようとする大容量送水ホース４２，４３の両結合部４８，４９同士の間隔が離れていても簡単に結合できる。つまり、大容量送水ホース４２，４３を互いに引き寄せて雄型結合部４８と雌型結合部４９とを接近させることなく送水ホース用媒介金具４１によって結合できる。
【００３３】
なお、前記実施形態においては、連結筒１７と２０とを雄ねじ部２２と雌ねじ部２３とで螺合し、例えば、第２の媒介金具本体１５，４５を固定し、第１の媒介金具本体１４，４４を回転させることにより、雄ねじ部２２と雌ねじ部２３が螺合して連結筒１７と２０とが軸方向に伸縮するようにしたが、これは一つの実施形態を示すものであり、限定されるものではない。
図３は第３の実施形態を示し、第１の実施形態の変形例であり、第１の実施形態と同一構成部分は同一番号を付して説明を省略する。
送水ホース用媒介金具５０について説明すると、第１の媒介金具本体５１と第２の媒介金具本体５２とから構成されている。第１と第２の媒介金具本体５１，５２は基本的には同一構造であり、第１の媒介金具本体５１は、結合部５４と連結筒５３とが別部材からなり、連結筒５３に対し結合部５４が周方向に回転自在に形成されている。結合部５４と連結筒５３の間にスラスト玉軸受があり、ホース内圧がかかっていてもスラスト玉軸受で軸加重を受けるので、スムーズに回転させられる。第２の媒介金具本体５２は、連結筒５３より小径の連結筒５５と、この連結筒５５の周方向に回転自在な結合部５６から構成されている。そして、第１の媒介金具本体５１の連結筒５３の内部には第２の媒介金具本体５２の連結筒５５が嵌合されている。従って、連結筒５３と５５とは二重管構造で、連結筒５３と５５とを相対的に回転させることにより、雄ねじ部２２と雌ねじ部２３が螺合して連結筒５３と５５とが軸方向に伸縮するようになっている。
【００３４】
第１の媒介金具本体５１の連結筒５３の端部にはフランジ部５７が一体に設けられている。このフランジ部５７には結合部５４の内周面に設けられた嵌合凹部５８が回転自在に嵌合され、連結筒５３に対して結合部５４が抜け止めされている。同様に、第２の媒介金具本体５２の連結筒５５の端部にはフランジ部５９が一体に設けられている。このフランジ部５９には結合部５６の内周面に設けられた嵌合凹部６０が回転自在に嵌合され、連結筒５５に対して結合部５６が抜け止めされている。
【００３５】
送水ホース用媒介金具５０を構成する第１の媒介金具本体５１と第２の媒介金具本体５２との連結筒５３，５５は雄ねじ部２２と雌ねじ部２３が螺合して結合されているため、連結筒５５を固定し連結筒５３を回転させることにより雄ねじ部２２と雌ねじ部２３が螺合して連結筒５３と５５が軸方向に伸縮する。従って、第１の実施形態と同様に大容量送水ホース１２，１３の結合部３４と３５との間隔に応じて送水ホース用媒介金具５０の軸方向の長さを調節できる。しかも、結合部５４，５６は固定状態で、連結筒５３と５５とを相対的に回転すればよく、操作性を向上できる。
なお、前記実施形態においては、送水ホース用媒介金具を、口径が４００ｍｍ、ホースの長さが１５０ｍ、質量が１０ｋｇ／ｍの大容量送水ホース用として説明したが、大容量送水ホースに限定されるものではなく、通常規格の消防ホース用としても適用できる。
さらに、大容量送水ホースの端部の結合金具相互間を送水ホース用媒介金具によって媒介結合する場合について説明したが、前記送水ホース用媒介金具は、送水ホースの端部の結合金具と送水ポンプ等の送水設備機器の結合金具間においても媒介結合できる。
【００３６】
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００３７】
【図１】本発明の第１の実施形態を示し、送水ホース用媒介金具の一部を断面した側面図。
【図２】本発明の第２の実施形態を示し、送水ホース用媒介金具の一部を断面した側面図。
【図３】本発明の第３の実施形態を示し、送水ホース用媒介金具の一部を断面した側面図。
【符号の説明】
【００３８】
１１…送水ホース用媒介金具、１２，１３…大容量送水ホース、１４，１５…媒介金具本体、１６，１９…流通路、１７，２０…接続筒、１８，２１，３４，３５…結合部
【図１】
2007271049.tif 000003
【図２】
2007271049.tif 000004
【図３】
2007271049.tif 000005